(57)【要約】【課題】文字板面の指標の増加を軽減しつつ、指標に正確な位置精度を要する時刻表示などに対しては位置精度が高い時刻指標を行うことができる可動文字板付きの時計を提供することである。【解決手段】本発明は時刻表示領域に正確な位置精度を要する時刻表示を行う第１指標部が設けられた第１文字板と、第１文字板の上に配置されるとともに、第１指標部を露呈するための窓穴を有する第２文字板と、第２指標部を有するとともに、第１文字板と第２文字板の間で複数の停止位置に移動可能な第３文字板を有し、複数の停止位置の少なくとも一つでは窓穴から第３文字板の第２指標部が露呈し、他の停止位置では窓穴から第１文字板の第１指標部が露呈するように前記文字板駆動部を制御する。【選択図】      図１−１
2012211865.tif 000002
【特許請求の範囲】
【請求項１】
指針によって時刻とその他の情報を切替えて表示する時計において、
時刻表示領域に第１指標部が設けられた第１文字板と、
前記第１文字板の上に配置されるとともに、前記第１指標部を露呈するための窓穴を有する第２文字板と、
第２指標部を有するとともに、前記第１文字板と前記第２文字板の間で複数の停止位置に移動可能な第３文字板と、
前記第３文字板を複数の停止位置のうちの一つの停止位置に移動させるための文字板駆動部と、
前記複数の停止位置の少なくとも一つでは前記窓穴から前記第３文字板の前記第２指標部が露呈し、
他の停止位置の少なくとも一つでは前記窓穴から前記第１文字板の第１指標部が露呈するように前記文字板駆動部を制御する制御部とを有する時計。
【請求項２】
前記窓穴から前記第１文字板の第１指標部を露呈している状態のとき、前記第３文字板は第２文字板で隠れる位置に停止している請求項１に記載の時計。
【請求項３】
前記第３文字板を複数有し、
前記複数の第３文字板の少なくとも一つが前記窓穴に露呈して前記第２指標部を表示する請求項１〜２の何れか一つに記載の時計。
【請求項４】
前記第２文字板が前記窓穴を複数有している請求項１〜３の何れか一つに記載の時計。
【請求項５】
少なくとも一つの前記窓穴に前記第３文字板の前記第２指標部を露呈した状態では、少なくとも一つの他の前記窓穴には第１文字板の第１指標部を露呈させ、
少なくとも一つの前記窓穴に前記第１文字板の前記第１指標部を露呈した状態では、少なくとも一つの他の前記窓穴には前記第３文字板の第２指標部を露呈させる請求項４に記載の時計。
【請求項６】
前記第３文字板には複数種類の第２指標部が設けられている請求項１〜５の何れか一つに記載の時計。
【請求項７】
前記第３文字板には複数種類の前記第２指標部が設けられており、
少なくとも一つの前記窓穴に露呈する前記第３文字板の前記第２指標部と、少なくとも一つの他の前記窓穴に露呈する前記第２指標部が異なる種類の指標である請求項５に記載の時計。
【請求項８】
前記時刻表示領域の中央には指針軸が配置されており、
前記指針軸に隣接する位置には、前記文字板駆動部として前記第３文字板を回動させるための回転車が配置されており、
前記回転車が回転することにより、前記第３文字板の第２指標部が前記第２文字板に隠れる位置と前記窓穴から露呈する位置の間を移動するようにした請求項１〜７の何れか一つに記載の時計。
【請求項９】
前記第１文字板の前記第１指標部と前記第３文字板の前記第２指標部の目盛間隔が異なっている請求項１〜８の何れか一つに記載の時計。
【請求項１０】
前記指針はステップ運針するように前記制御部で制御されており、
前記第１指標部の目盛間隔は、前記指針の最小ステップ間隔に対応し、第２指標部の間隔
は前記指針の複数ステップ間隔に対応している請求項９に記載の時計。
【請求項１１】
前記第３文字板は回転中心になる中心部を有するアーム部と、前記中心部の反対側に設けた前記第２指標部を有し、
前記回転軸が回転することにより、前記第３文字板の前記第２指標部が時刻表示領域の中心側と外周側の間を移動するようにした請求項８〜１０の何れか一つに記載の時計。
【請求項１２】
前記第３文字板は第２指標部から更に延出した第２アーム部と、前記第２アーム部に設けた第３指標部を有し、
前記第２文字板は、第２指標部を露呈するための第１窓穴と、第３指標部を露呈するための第２窓穴を有し、
第１窓穴が第２窓穴よりも時刻表示領域の中心側に設けられている請求項１１に記載の時計。
【請求項１３】
前記第１窓穴に前記第２指標部を露呈した状態では前記第２窓穴には第１文字板の第１指標部を露呈させ、
前記第２窓穴に前記第３指標部を露呈した状態では前記第１窓穴には第１文字板の指標を露呈させる請求項１２に記載の時計。
【請求項１４】
隣合う歯車同士が噛合うように、偶数個の歯車をループ状に配置し、少なくとも1つの歯車は前記第３文字板を有しており、
前記偶数個の歯車のうち一つが主動車として駆動し、前記主動車から最も噛合い距離の遠い位置に位置する歯車に、バックラッシを詰めるために歯車の回転に負荷をかけるバックラッシ除去部を設けた請求項１１〜１３の何れか一つに記載の時計。
【請求項１５】
前記歯車が少なくとも４つ以上である請求項１４に記載の時計。
【発明の詳細な説明】
【技術分野】
【０００１】
本発明は、文字板上の指標を指針で指し示すことにより、時刻、温度、湿度、天気、カレンダー、２次電池充電量、電波時計の受信結果等のセンサ情報や計時情報等を切り換え表示するものに関し、特に表示する情報に合わせて文字板上の時字や目盛などの指標を変化させるものに関する。
【背景技術】
【０００２】
従来の多機能表示時計は、計時情報として例えば時刻、ストップウオッチ等の計測時間、日付や曜日等のカレンダー情報、センサからの温度、湿度、気圧や天候情報等を表示するものがあったが、上記従来の多機能表示時計は、その時計が有する機能に合わせて文字板面にそれぞれの機能に合う多数の指標を複数常時混在して配置しているため、指針がどの情報を指示しているのか、または通常の時刻を指示しているのかを瞬時に見分けることが困難であった。しかも多数の指標が混在しているので読取りにくくり、さらに、表示する情報の種類が増加するに伴って文字板面の指標がますます混雑してくるという問題があった。
【０００３】
この問題に対して特許文献１〜特許文献３のように固定された文字板と可動する文字板の２つを組み合わせて文字板面の指標の混雑を軽減する提案がされている。
【先行技術文献】
【特許文献】
【０００４】
【特許文献１】特許第３０２７７００号公報（図１４〜図１７、段落００１８〜段落００２４）
【特許文献２】特許第３０９６２１７号公報
【特許文献３】特開２０１１−２７６１８号公報（図１〜図５、段落００１６〜段落００３１）
【発明の概要】
【発明が解決しようとする課題】
【０００５】
しかしながら、特許文献１の図１４〜図１７のような仕組みでは、可動する第２文字板４８はモータから歯車などの伝達機構を経て動力が伝達されるため、伝達機構のバックラッシによって第２文字板４８の停止位置が常に定位置にはならず、固定された第１文字板４６の指標との位置関係に誤差が生じやすい。この場合、指針と指標との位置関係を見ると、指針は一方の文字板の指標との位置関係は良くても、他方の文字板の指標との位置関係がずれるという問題があった。
【０００６】
そのため、天気を現す指標などのように、一つ一つの指標同士の間隔が広くて、あまり位置精度を要しない表示指標の場合は指針と指標の関係は問題なかったが、表示指標と指針との位置関係に正確な位置精度を要する時刻表示などの場合は、満足な表示を行うことは困難であった。
【０００７】
時刻表示の場合は、固定した文字板の指標のみを使う例が特許文献１の図６〜図９に記載されているが、この場合は可動する文字板が時刻表示領域の外側、つまりケース領域に退避する構造なので、退避位置を確保する分だけ時計が大型化してしまう問題があった。
【０００８】
上記の問題は、特許文献２においても同様であった。
【０００９】
また特許文献３においても、開口部６１〜６６を有する文字板５の下に、標章を有する回転板２１を配置し、回転板２１を回転させて所定位置で停止させることによって、開口部６１〜６６から回転板２１の標章を露出させる技術が記載されている。しかしこの場合も前述と同様に、輪列機構２５を使って回転板２１を駆動するので、バックラッシの影響によって回転板２１の停止位置を常に定位置にすることができなかったため、同様の問題があった。
【００１０】
本発明は上記課題に鑑みてなされたもので、その目的は多機能表示時計において、文字板面の指標の増加を軽減しつつ、指標に正確な位置精度を要する時刻表示などに対しては位置精度が高い時刻指標を行うことができる可動文字板付きの時計を提供することである。
【課題を解決するための手段】
【００１１】
上記目的を達成するために、本発明は、
指針によって時刻とその他の情報を切替えて表示する時計において、
時刻表示領域に第１指標部が設けられた第１文字板と、
前記第１文字板の上に配置されるとともに、前記第１指標部を露呈するための窓穴を有する第２文字板と、
第２指標部を有するとともに、前記第１文字板と前記第２文字板の間で複数の停止位置に移動可能な第３文字板と、
前記第３文字板を複数の停止位置のうちの一つの停止位置に移動させるための文字板駆動部と、
前記複数の停止位置の少なくとも一つでは前記窓穴から前記第３文字板の前記第２指標部が露呈し、
他の停止位置の少なくとも一つでは前記窓穴から前記第１文字板の第１指標部が露呈するように前記文字板駆動部を制御する制御部とを有することを特徴とする。
【発明の効果】
【００１２】
本発明によれば、指標に正確な位置精度を要する時刻表示を行う場合は、可動する文字板の下側に配置した第１文字板の表示指標を用いることで、可動する文字板を使用したときに生じるバックラッシなどの誤差要因を除外できるので、指針と文字板の指標との関係は、正確な位置精度を実現することが可能となる。
【図面の簡単な説明】
【００１３】
【図１−１】実施例１に係る多機能表示時計を示す平面図である。
【図１−２】実施例１に係る多機能表示時計のブロック図である。
【図１−３】実施例１に係る多機能表示時計の断面図である。
【図１−４】図１−２に示す３つの文字板を示す平面図である。
【図１−５】図１−１に示す多機能時計の表示状態を切り替えたときの平面図である。
【図２】実施例２に係る多機能表示時計を示す平面図である。
【図３】実施例３に係る多機能表示時計を示す平面図である。
【図４】実施例４に係る多機能表示時計を示す平面図である。
【図５−１】実施例５に係る多機能表示時計を示す平面図である。
【図５−２】実施例５に係る多機能表示時計の第３文字板の位置を示す平面図である。
【図５−３】実施例５に係る多機能表示時計の３つの文字板を示す平面図である。
【図６−１】実施例６に係る多機能表示時計を示す平面図である。
【図６−２】実施例６に係る多機能表示時計の第３文字板の位置を示す平面図である。
【図６−３】実施例６に係る多機能表示時計の各文字板を示す平面図である。
【図７−１】実施例６に係る多機能表示時計の第１、第２文字板を省略した平面図である。
【図７−２】実施例６に係る多機能時計の文字板歯車の構成を示した平面図である。
【図７−３】実施例６に係るカレンダー表示モードの多機能時計の文字板歯車の構成を示した要部断面図である。
【図７−４】実施例６に係る都市受信表示モードの多機能時計の文字板歯車の構成を示した要部平面図である。
【図７−５】実施例６に係る多機能時計の文字板歯車の構成を示した要部平面図である。
【図７−６】実施例６に係る多機能時計の文字板歯車の構成を示した要部平面図である。
【図７−７】実施例６の効果を説明するための比較例である文字板歯車の構成を示した平面図である。
【発明を実施するための形態】
【００１４】
以下図面により本発明の実施形態を詳述する。
【実施例１】
【００１５】
実施例１に係る多機能表示時計は、時刻を表示する時刻表示モードと２次電池の充電量を表示する充電表示モードと標準時刻を載せた電波信号を受信したときの受信状態を表示する受信表示モードを有する多機能時計である。
【００１６】
図１−１は実施例１に係る多機能表示時計を示す平面図、図１−２は本発明の実施例１に係る多機能表示時計のブロック図、図１−３は本発明の実施例１に係る多機能表示時計の断面図、図１−４は３つの文字板を示す平面図、図１−５は図１−１に示す多機能時計の各モードの平面図と各モード時の第３文字板１−１７の回転位置を示した平面図である。
【００１７】
なお、各実施例の図において、図面をわかりやすくするために、指針を省略した時計の図面を用いる場合がある。
【００１８】
図１−１において１−１はケースであり、その正面中央には窓部１−２が設けられており、この窓部１−２内が時刻等を表示する表示領域１−３となっている。この表示領域１−３内には、第２文字板１−１０と、第２文字板１−１０に設けられた文字板窓部１−１２を通して視認される第１文字板１−１１と、時針１−７、分針１−８、秒針１−９、入力手段としてのプッシュボタン（以下、ＰＢと省略する。）１−４、ＰＢ１−５、リューズ１−６が設けられている。
図１−３に示したように第１文字板１−１１と第２文字板１−１０の間には、回転可能な第３文字板１−１７が配置されており、第３文字板１−１７は第１文字板１−１１と第２文字板１−１０とで挟まれた間の空間で回転可能に配置されている。
【００１９】
１−１３は時針１−７を駆動するための時歯車、１−１４は分針１−８を駆動するための分歯車、１−１５は秒針１−９を駆動するための秒歯車、１−１６は第３文字板１−１７を駆動するための文字板歯車であり、地板１−２７などによって回転可能に支持されている。
【００２０】
図１−１の状態においては文字板窓部１−１２と第３文字板１−１７に設けられた、後述の切り欠き部１−２２を通して第１文字板１−１１が視認できるようになっている。また第１文字板１−１１と第２文字板１−１０は、図示しない固定用支柱を有しており、それが地板１−２７に固定されており、互いの位置関係は常に一定に保たれており、変化することはない。
【００２１】
実施例１の時計は、図１−１に示すＰＢ１−４を操作する毎に第３文字板１−１７が回転し、現在時刻を表示する時刻表示モード、２次電池の充電量を表示する充電表示モード
、電波時計機能で受信した結果を表示する受信表示モードの３モードを順番に切り替えることが出来る。
【００２２】
次に各文字板の構造を図１−４を用いて説明する。
【００２３】
第２文字板１−１０は、図１−４（ａ）に示すように第２文字板１−１０より下面側（図面奥側）に配置される第１文字板１−１１と第３文字板１−１７を視認するための文字板窓部１−１２と時刻表示用の指標を有しており、前述のように図示しない固定用支柱で地板１−２７に固定されている。
【００２４】
第１文字板１−１１は図１−４（ｃ）に示すように時刻表示指標１−２４を有しており、前述のように図示しない固定用支柱で地板１−２７に固定されている。
【００２５】
第３文字板１−１７は図１−４（ｂ）に示すように充電表示モードで使用する充電表示指標１−２５、受信表示モードで使用する受信表示指標１−２６、時刻表示モードのときに第１文字板１−１１を視認させるための切り欠き部１−２２を有している。第３文字板１−１７は地板１−２７とは固定されず、文字板歯車１−１６を介して動くように構成されている。
【００２６】
次に図１−２に基づき、実施例１に係る多機能表示時計のブロック図を説明する。なおすでに説明した構成についてはその説明を省略する。図において、１−２５は時歯車１−１３を回転駆動するための時モータ、１−１８は分歯車１−１４を回転駆動するための分モータ、１−１９は秒歯車１−１５を回転駆動するための秒モータ、１−２０は文字板歯車１−１６を回転駆動するための文字板モータである。１−２１は、ＰＢ１−４、ＰＢ１−５、リューズ１−６からの信号などに基づいて、上記各モータの動作を適宜駆動するための駆動制御信号を出力する制御部である。
【００２７】
上記構成からなる実施例１の表示切換動作について説明する。
【００２８】
本実施例１において、時計はＰＢ１−４が操作されて信号が制御部１−２１に入力されることにより、制御部１−２１が文字板モータ１−２０に駆動制御信号を出力し、文字板歯車１−１６を介して第３文字板１−１７を時計回りに回転させ、文字板窓部１−１２を介して視認される表示指標を各モードに合わせて変更できるようになっている。
【００２９】
次に各モードの表示状態について図１−５を用いて説明を行う。図１−５は、時刻表示モード、充電表示モード、受信表示モードのときの第２文字板１−１０と第３文字板１−１７との位置関係を対応させて表した平面図である。
【００３０】
時刻表示モードにおいては、図１−５（ａ）に示す表示状態となり、制御部１−２１からの駆動制御信号によって、図示しない時針１−７で現在時刻の時、分針１−８で現在時刻の分、秒針１−９で現在時刻の秒を表示するように動作する。
【００３１】
このとき、第３文字板１−１７の位置は図１−５（ｄ）のような位置となり、文字板窓部１−１２の直下に切り欠き部１−２２が位置するため、文字板窓部１−１２からは第１文字板１−１１の時刻表示指標１−２４が視認できる。
【００３２】
第２文字板１−１０と第１文字板１−１１の文字板窓部１−１２で視認される時刻表示指標１−２４の許容される相対誤差角度は１目盛りが６度であることから、望ましくは１目盛りの１／４の精度が無いと視認が困難であることから、±１．２５度の位置精度が必要となる。この場合、第２文字板１−１０と第１文字板１−１１は前述の通り地板１−２
７に固定されており、設計上この精度を十分満足させるための２枚の文字板固定構造を実現するのは十分に可能なので、実施例１の時刻表示モードにおいては、一枚の固定文字板を使用しているときと同じ感覚で時刻を読み取ることができる。
【００３３】
なお、第１指標部となる第１文字板１−１１の時刻表示指標１−２４の目盛間隔は、秒針１−９の最小ステップに対応している。
【００３４】
次に充電表示モードにおいては、図１−５（ｂ）に示す表示状態となり、図示しない時針１−７で現在時刻の時、分針１−８で現在時刻の分、秒針１−９で時計の２次電池の充電量の表示を行う。
【００３５】
このとき、ＰＢ１−４を操作して充電表示モードにすると、制御部１−２１からの駆動制御信号によって文字板モータ１−２０を駆動し、文字板歯車１−１６を介して第３文字板１−１７を回転させることにより、第３文字板１−１７の位置は図１−５（ｅ）のような位置となり、文字板窓部１−１２の直下に充電表示指標１−２５が位置し、文字板窓部１−１２からは第３文字板１−１７の充電表示指標１−２５が視認できる。
【００３６】
２次電池の充電量の具体的な表示は次の通りである。２次電池の充電量が充分に充電されている場合は、図示しない秒針１−９が充電表示指標１−２５のＨ表示を指し示す位置に移動する。また２次電池の充電量が全体の半分程度充電されている場合は、秒針１−９が充電表示指標１−２５のＭ表示を指し示す位置に移動する。さらに２次電池の充電量がほとんど無い場合は、秒針１−９が充電表示指標１−２５のＬ表示を指し示す位置に移動する。それぞれ秒針１−９は制御部からの駆動制御信号により秒モータ１−１９を駆動し、秒歯車１−１５を介して秒針１−９を適宜適切な位置に動かしている。
【００３７】
第２文字板１−１０と文字板窓部１−１２で視認される充電表示指標１−２５の許容される相対誤差角度は１目盛りが３０度であり、望ましくは１メモリの１／４の精度が無いと視認が困難であることから、少なくとも±７．２５度の位置精度が必要となる。この場合、２次電池の充電表示指標１−２５を設けた第３文字板１−１７は、文字板歯車などの輪列を介して回転し、輪列によるバックラッシの影響を受けるため、固定された第２文字板との相対的な位置精度は時刻表示モードで使用した第１文字板よりは落ちるが、充電表示指標１−２５のＨ、Ｍ、Ｌ同士の配置間隔が時刻表示指標１−２４よりも粗く、つまり目盛間隔が異なっており、要求される位置精度が時刻表示モードのときよりも低いので、２次電池の充電表示指標１−２５に対して十分な位置精度を保って秒針１−９を位置させることができる。
【００３８】
次に受信表示モードにおいては、図１−５（Ｃ）に示す表示状態となり、図示しない時針１−７で現在時刻の時、分針１−８で現在時刻の分、秒針１−９で時計の前回受信した受信結果の表示を行う。
【００３９】
前述の充電表示モードのときと同様に、ＰＢ１−４を操作して受信表示モードにすると、第３文字板１−１７の位置は図１−５（ｆ）のような位置となり、文字板窓部１−１２の直下に受信表示指標１−２６が位置し、文字板窓部１−１２からは第３文字板１−１７の受信表示指標１−２６が視認できる。
【００４０】
受信結果の具体的な表示は次の通りである。電波時計機能によって前回受信した受信状況が良好で、正確に時刻情報が受信された場合は、秒針１−９で受信表示指標１−２６のＨ表示を指し示す。ノイズなどがある受信環境で時刻情報を受信したため、必ずしも正確ではない時刻情報が受信された場合は、秒針１−９で受信表示指標１−２６のＭ表示を指し示す。ノイズなどがかなり多い受信環境で時刻情報を受信したため、正確ではないと判
断される時刻情報が受信された場合は、秒針１−９で受信表示指標１−２６のＬ表示を指し示す。ノイズなどにより時刻情報が受信できなかった場合は秒針１−９で受信表示指標１−２６のＮＯ表示を指し示すように制御部が適宜秒針を制御している。
【００４１】
第２文字板１−１０と文字板窓部１−１２で視認される充電表示指標１−２６の許容される相対誤差角度は１メモリが２０度であり、望ましくは１メモリの１／４の精度が無いと視認が困難であることから、少なくとも±５度の位置精度が必要となる。前述の充電表示モードと同じように、この場合も受信表示指標１−２６を設けた第３文字板１−１７は、文字板歯車１−１６などの輪列を介して回転し、輪列によるバックラッシの影響を受けるため、固定された第２文字板との相対的な位置精度は時刻表示モードで使用した第１文字板よりは落ちるが、受信表示指標１−２６のＨ、Ｍ、Ｌ、ＮＯ同士の配置間隔が時刻表示指標１−２４よりも粗く、要求される位置精度が時刻表示モードのときよりも低いので、受信表示指標１−２６のＨ、Ｍ、Ｌ、ＮＯに対して十分な位置精度を保って秒針１−９を移動させることができる。
【００４２】
なお、第２指標部となる第３文字板１−１７の受信表示指標１−２６のＨ、Ｍ、Ｌ、ＮＯの目盛間隔は、秒針１−９の複数ステップに対応している。
【００４３】
本実施例１では、第２文字板１−１０と文字板窓部１−１２で視認される表示指標の許容される相対誤差角度の位置精度が最も要求されるモードは時刻表示モードであるが、時刻表示モードで使用する第１文字板１−１１と第２文字板１−１０の位置は固定されており、互いの位置関係がずれることはないため、バックラッシなどの不安定要因による位置ずれは発生しない。
【００４４】
一方、第２文字板１−１０と文字板窓部１−１２で視認される表示指標の許容される相対誤差角度の位置精度は受信表示モードの±５度の位置精度までが許容値となるが、それに対しても識別して十分認識できる表示を達成することができる。
【００４５】
以上に説明したように、本実施例１によれば、指標に正確な位置精度を要する時刻表示を行う場合は、固定された第１文字板１−１１と第２文字板１−１２の表示指標を用いることで、バックラッシなどの誤差要因を除外でき、正確な位置精度を実現することにより、多機能表示時計において文字板面の指標の混雑を軽減しつつ、指標に正確な位置精度を要する時刻表示などに対しては位置精度が高い時刻指標を行う時計を提供することができる。
【実施例２】
【００４６】
次に実施例２について説明する。
実施例２に係る多機能表示時計は、時刻を表示する時刻表示モードと標準時刻を載せた電波信号を受信したときの受信状態を表示する受信表示モードを有する。
【００４７】
図２は本発明の実施例１を応用した実施例２に係る多機能表示時計を示す平面図であり、図において実施例１に記載しているケース、時針、分針、秒針は省略している。なお、ブロック図は実施例１の図１−２と同様なので、その説明は省略する。その他の構成で、実施例１と同じものは図示するがその説明は省略する。なお、以下の実施例でも省略の仕方は同様とする。
【００４８】
図２（ａ）は時刻表示モードを示す平面図であり、図２（ｂ）は受信表示モードを示す平面図であり、実施例１と同一の働きをするものには同一の符号を設けて説明は省略する。
【００４９】
図２において、第１文字板１−１１、第２文字板１−１０と、第３文字板２−１７（ａ）、２−１７（ｂ）との上下位置関係は、実施例１と同様である。
【００５０】
上記構成からなる実施例２の表示切換動作について説明する。本実施例の一番の特徴は、第３文字板を２枚で構成した点である。
【００５１】
本実施例において、本時計は現在時刻を表示する時刻表示モードと電波を受信した受信結果を表示する受信表示モードを備え、前述の実施例１と同様にＰＢ１−４が操作されて信号が制御部１−２１に入力されることにより、制御部１−２１が文字板モータ１−２０に駆動制御信号を出力し、文字板歯車１−１６を介して第３文字板２−１７（ａ）と第３文字板２−１７（ｂ）を回転させ、文字板窓部１−１２を介して視認される表示指標が各モードに合わせて変更される。
【００５２】
ここで第３文字板２−１７（ａ）と第３文字板２−１７（ｂ）は、６個の歯車で構成された環状輪列のうち、その回転方向が逆方向となる２つの歯車にそれぞれ固定されている。６個の歯車のうちの一つには、図１−２に示した文字板モータ１−２０から回転が伝達されて、第３文字板２−１７（ａ）と第３文字板２−１７（ｂ）が固定された歯車の回転方向は、互いに常に逆方向の回転となる。
【００５３】
次に各モードの表示状態について図２を用いて説明を行う。
【００５４】
時刻表示モードにおいては図２（ａ）に示す表示状態となり、図示しない時針、分針、秒針で現在時刻を表示する。
【００５５】
第３文字板２−１７（ａ）、第３文字板２−１７（ｂ）の位置は図２（ａ）のように文字板窓部１−１２にかからないように、第２文字板１−１０によって隠れるように位置するため、文字板窓部１−１２からは第１文字板１−１１の時刻表示指標１−２４が視認できる。
【００５６】
次にＰＢ１−４が操作されて受信表示モードになると、図２（ｂ）に示す表示状態となる。
【００５７】
第３文字板２−１７（ａ）と第３文字板２−１７（ｂ）は、図２（ｂ）のように文字板窓部１−１２の直下に移動して、受信表示指標１−２６（ａ）、受信表示指標１−２６（ｂ）が露呈するため、文字板窓部１−１２からは第３文字板２−１７（ａ）の受信表示指標２−２６（ａ）、第３文字板２−１７（ｂ）の受信表示指標２−２６（ｂ）が視認できる。
【００５８】
そして前回受信した受信結果に応じて、図示しない秒針が受信表示指標２−２６（ａ）、（ｂ）の対応する位置を指し示すようになっている。
【００５９】
以上に説明したように、本実施例２によれば、実施例１と同様に多機能表示時計において文字板面の指標の混雑を軽減しつつ、指標に正確な位置精度を要する時刻表示などに対しては位置精度が高い時刻指標を行う時計を提供することができる。
【実施例３】
【００６０】
次に実施例３について説明する。
【００６１】
実施例３に係る多機能表示時計は時刻を表示する時刻表示モードと２次電池の充電残量と標準時刻を載せた電波信号を受信したときの受信状態を表示する充電受信表示モードを
有する。前述の実施例と異なるのは、文字板窓部を２つ設けた点と、第３文字板の形状が、図３（ｃ）に示したように、２つの文字板窓部に合わせた形状になっている点である。
【００６２】
図３（ａ）は時刻表示モードを示す平面図であり、図３（ｂ）は２次電池の充電量の表示と電波時計などの受信した結果を表示する充電受信表示モード示す平面図である。
【００６３】
図３において第３文字板３−１７は実施例１の第３文字板１−１７と同一の働きを行い、第１文字板１−１１、第２文字板１−１０との位置関係も実施例１と同様である。
【００６４】
また、第２文字板１−１０は２つの文字板窓部３−１２（ａ）、文字板窓部３−１２（ｂ）を有し、複数の文字板窓部で視認される表示指標が各モードに合わせて変更できるようになっている。
【００６５】
上記構成からなる実施例３の表示切換動作について説明する。
【００６６】
本実施例において、ＰＢ１−４が操作されて信号が制御部１−２１に入力されることにより、制御部１−２１が文字板モータ１−２０に駆動制御信号を出力し、文字板歯車１−１６を介して第３文字板３−１７を回転させ、文字板窓部３−１２（ａ）、文字板窓部３−１２（ｂ）を介して視認される表示指標を各モードに合わせて変更できるようになっている。
【００６７】
次に各モードの表示状態について図３を用いて説明を行う。
【００６８】
時刻表示モードにおいては図３（ａ）に示す表示状態となり、図示しない時針１−７で現在時刻の時、分針１−８で現在時刻の分、秒針１−９で現在時刻の秒を表示する。第３文字板３−１７の位置は図３（ａ）のように文字板窓部３−１２（ａ）、文字板窓部３−１２（ｂ）にかからないように、第２文字板１−１０によって隠れるように位置するため、文字板窓部１−１２（ａ）からは第１文字板１−１１の時刻表示指標３−２４（ａ）、文字板窓部１−１２（ｂ）からは第１文字板１−１１の時刻表示指標３−２４（ｂ）が視認できる。
【００６９】
充電受信表示モードにおいては図３（ｂ）に示す表示状態となり、図示しない時針１−７で現在時刻の時、分針１−８で２次電池充電量、秒針１−９で前回受信した受信結果の表示を行う。
【００７０】
第３文字板３−１７の位置は図３（ｂ）のように文字板窓部３−１２（ａ）の直下に受信表示指標１−２５、文字板窓部３−１２（ｂ）の直下に充電表示指標１−２６が位置するため、文字板窓部３−１２（ａ）からは第３文字板３−１７の受信表示指標１−２５、文字板窓部３−１２（ｂ）からは充電表示指標１−２６が視認できる。
【００７１】
以上に説明したように、本実施例３によれば、実施例１と同様に多機能表示時計において文字板面の指標の混雑を軽減しつつ、指標に正確な位置精度を要する時刻表示などに対しては位置精度が高い時刻指標を行う時計を提供することができる。
【００７２】
なお、実施例３では２次電池の充電残量と受信状態を表す指標を同時に表示させるモードを示したが、本発明はこれに限定されるものではない。例えば、この多機能表示時計が電波受信機能を有する場合は、第３文字板３−１７の一方の指標に受信した受信局を示す指標を設け、他方には受信状態を表す指標を設けてもよい。
【００７３】
また、この多機能表示時計が充電機能を有する場合は、第３文字板３−１７の一方の指
標に充電残量を示す指標を設け、他方には発電量を表す指標を設けてもよい。
【００７４】
但し、どのような情報を同時に表示する場合であっても、情報の切替りが一番速い情報を表示するための指針は、秒針で表す方が追従性の面で有利である。
【実施例４】
【００７５】
次に実施例４について説明する。
【００７６】
実施例４に係る多機能表示時計は時刻を表示する時刻表示モードと、２次電池の充電量と標準時刻を載せた電波信号を受信したときの受信状態を表示する充電受信表示モードを有する。実施例４は実施例３と同様に２つの文字板窓部を有する点では同じであるが、前述の実施例３と異なるのは、第３文字板の形状が、図４（ｃ）に示したように、半円形状である。そして、第３文字板の一方の指標が一方の文字板窓部に露出しているときに、他方の文字板窓部からは第１文字板の指標を露出するようにしている。以下で詳しく説明する。
【００７７】
図４において、図４（ａ）は時刻表示モードを示す平面図であり、図４（ｂ）は充電受信表示モードを示す平面図であり、実施例１、実施例３と同一の働きをするものには同一の符号を設けて説明は省略する。
【００７８】
図４において第３文字板４−１７は実施例１の第３文字板１−１７と同様に第１文字板１−１１、第２文字板１−１０との間で回転可能に配置されている。第３文字板４−１７には図４（ｃ）に示すように充電表示指標１−２５と、機能的指標ではないロゴマーク４−２３を有している。
【００７９】
また、第２文字板１−１０は２つの文字板窓部３−１２（ａ）、３−１２（ｂ）を有し、複数の文字板窓部で視認される表示指標が各モードに合わせてそれぞれの文字板窓部に表示できるようになっている。
【００８０】
上記構成からなる実施例４の表示切換動作について説明する。本実施例において、本時計は現在時刻を表示する時刻表示モードと、時計の２次電池の充電量と電波を受信した受信結果を表示する充電受信表示モードを備え、ＰＢ１−４が操作されると、前述の実施例１と同様に、文字板歯車１−１６を介して第３文字板４−１７が回転し、文字板窓部３−１２（ａ）、文字板窓部３−１２（ｂ）を介して視認される表示指標が各モードに合わせて変更される。
【００８１】
次に各モードの表示状態について図４を用いて説明を行う。
【００８２】
時刻表示モードにおいては図４（ａ）に示す表示状態となり、図示しない時針で現在時刻の時、分針で現在時刻の分、秒針で現在時刻の秒を表示する。
【００８３】
第３文字板４−１７の位置は図３（ａ）のように文字板窓部３−１２（ａ）の直下に位置精度を必要としないロゴマーク４−２３の部分が位置し、文字板窓部３−１２（ｂ）の直下には第３文字板４−１７が位置しないため、文字板窓部３−１２（ｂ）からは第１文字板１−１１の時刻表示指標１−２４が、文字板窓部３−１２（ａ）からはロゴマーク４−２３が視認できる。
【００８４】
充電受信表示モードにおいては図４（ｂ）に示す表示状態となり、図示しない時針で現在時刻の時、分針で時計の電池充電量、秒針で前回受信した受信結果の表示を行う。
【００８５】
第３文字板４−１７の位置は図４（ｂ）のように文字板窓部３−１２（ｂ）の直下に充電表示指標１−２５が露出するが、文字板窓部３−１２（ａ）の直下には第３文字板４−１７が位置せず、文字板窓部３−１２（ａ）からは第１文字板１−１１の受信表示指標４−２６が視認できる。充電受信表示モードにおける受信表示指標１−２６と秒針、充電表示指標１−２５と分針の動作は前述の実施例と同様であるため説明は省略する。
【実施例５】
【００８６】
次に実施例５について説明する。
【００８７】
実施例５に係る多機能表示時計は、時刻を表示する時刻表示モードと、２次電池の充電量と３０分計のクロノグラフ計測が可能な充電クロノ表示モードと、最大２０分のタイマー計測と２４時間表示が可能なタイマー２４Ｈ表示モードとを有する。
【００８８】
図５−１は本発明の実施例５に係る多機能表示時計を示す平面図で、図５−２は実施例５に係る多機能表示時計の第３文字板の位置を示す平面図、図５−３は実施例５に係る多機能表示時計の３つの文字板を示す平面図である。
【００８９】
図５−１（ａ）は充電クロノ表示モードを示す図であり、図５−１（ｂ）はタイマー２４Ｈ表示モードを示す図である。図５−２（ａ）は充電クロノ表示モード時の第３文字板５−１７（ａ）と第３文字板５−１７（ｂ）の配置関係を分かりやすく見せるために時針１−７、分針１−８、秒針１−９、第４針５−８、第５針５−９、第２文字板１−１０を省略した図である。図５−２（ｂ）はタイマー２４Ｈ表示モード時の第３文字板５−１７（ａ）と第３文字板５−１７（ｂ）の配置関係を分かりやすく見せるために時針１−７、分針１−８、秒針１−９、第４針５−８、第５針５−９、第２文字板１−１０を省略した図であり、実施例１と同一の働きをするものには同一の符号を設けて説明は省略する。
【００９０】
また、時計動作としてはＰＢ１−４を操作する毎に第３文字板５−１７（ａ）、第３文字板５−１７（ｂ）が回転し、充電クロノ表示モードとタイマー２４Ｈ表示モードとを交互に切り替えることが出来る。
【００９１】
第２文字板５−１０は図５−１〜図５−２に示すように、第２文字板５−１０より下面側に配置した第１文字板５−１１、第３文字板５−１７（ａ）、第３文字板５−１７（ｂ）を視認させるための文字板窓部５−１２（ａ）、文字板窓部５−１２（ｂ）、文字板窓部５−１２（ｃ）、文字板窓部５−１２（ｄ）を有しており、地板１−２７と固定されている。
【００９２】
第１文字板５−１１はタイマー表示指標５−１、タイマーモード表示指標５−２、クロノ表示指標５−３、クロノモード表示指標５−７を有しており、地板１−２７と固定されている。
【００９３】
第３文字板５−１７（ａ）は２４Ｈ表示指標５−４（ａ）、２４Ｈモード表示指標５−５、充電表示指標５−６（ｂ）を有し、３文字板５−１７（ｂ）は２４Ｈ表示指標５−４（ｂ）、充電モード表示指標５−８、充電表示指標５−６（ａ）を有しており、制御部１−２１から文字板モータ１−２０、文字板歯車１−１６を介して動かすことが出来る。
【００９４】
なお、本実施例５においても、第３文字板を移動させるための輪列構造は実施例２と同様な６個の歯車で構成された環状輪列で構成されており、６個の歯車のうちの一つには、図１−２に示した文字板モータ１−２０から回転が伝達されて第３文字板を移動させている。
【００９５】
上記構成からなる実施例５の表示切換動作について説明する。
【００９６】
本実施例において、本時計はＰＢ１−４が操作されて信号が制御部１−２１に入力されることにより、制御部１−２１が文字板モータ１−２０に駆動制御信号を出力する。例えば、充電クロノ表示モードからタイマー２４Ｈ表示モードへ移行する場合、文字板歯車１−１６を介して第３文字板５−１７（ａ）は反時計回りに、第３文字板５−１７（ｂ）は時計回りに回転する。輪列構造は、前述の実施例２と同様の構造を有している。また、タイマー２４Ｈ表示モードから充電クロノ表示モードへ移行する場合、文字板歯車１−１６を介して第３文字板５−１７（ａ）は時計回りに、第３文字板５−１７（ｂ）は反時計回りに回転し、文字板窓部５−１２（ａ）、文字板窓部５−１２（ｂ）、文字板窓部５−１２（ｃ）、文字板窓部５−１２（ｄ）を介して視認される表示指標が各モードに合わせて変更される。
【００９７】
次に各モードの表示状態について図５−１を用いて説明を行う。例えば、タイマー２４Ｈ表示モードから充電クロノ表示モードに切替った状態においては図５−１（ａ）に示す表示状態となる。
【００９８】
第３文字板５−１７（ａ）と第３文字板５−１７（ｂ）の位置は、図５−２（ａ）のように、文字板窓部５−１２（ａ）には充電モード表示指標５−８が位置して表示され、以下同様に文字板窓部５−１２（ｂ）には充電表示指標５−６（ａ）と充電表示指標５−６（ｂ）が、文字板窓部５−１２（ｃ）にはクロノ表示指標５−３が、文字板窓部６−１２（ｄ）にはクロノモード表示指標５−７が位置して表示される。
【００９９】
また、タイマー２４Ｈ表示モードから充電クロノ表示モードへ移行すると、時針１−７は現在時刻の時、分針は現在時刻の分を表示し、秒針１−９は０秒位置に移動して、クロノグラフ動作のスタート待機状態になる。
【０１００】
さらに、第５針５−９はクロノ分を表示するために文字板窓部５−１２（ｃ）のクロノ表示指標５−３の０位置に移動してクロノグラフ動作のスタート待機状態になる。第４針５−８は２次電池の充電残量を表示するために文字板窓部５−１２（ｂ）の充電表示指標５−６（ａ）、充電表示指標５−６（ｂ）の領域に移動し、２次電池の充電量に応じて、該当する指標位置を指し示す。そしてタイマー２４Ｈ表示モードから充電クロノ表示モードへ移行してから１０秒以上ＰＢ１−５に入力がない場合、秒針１−９は各々に対応した時刻表示を行う。このとき、ＰＢ１−５はクロノグラフ機能のスタート、ストップ、リセットを制御するためのスイッチとして機能している。
【０１０１】
図５−１（ａ）の時針１−７、分針１−８、秒針１−９、第４針５−８、第５針５−９の表示内容は、１０時１０分、クロノ時間は１１分３５秒、２次電池の充電残量は全体の半分程度充電されている中間を示している。
【０１０２】
次に充電クロノ表示モードからタイマー２４Ｈ表示モードに切替えると、図５−１（ｂ）に示す表示状態となる。第３文字板５−１７（ａ）と第３文字板５−１７（ｂ）の位置は図５−２（ｂ）のようになり、文字板窓部５−１２（ａ）にはタイマーモード表示指標５−２が位置して表示され、同様に文字板窓部５−１２（ｂ）にはタイマー表示指標５−１が、文字板窓部５−１２（ｃ）には２４Ｈ表示指標５−４（ａ）と２４Ｈ表示指標５−４（ｂ）が、文字板窓部５−１２（ｄ）には２４Ｈモード表示指標５−５がそれぞれ位置して表示される。
【０１０３】
また、充電クロノ表示モードからタイマー２４Ｈ表示モードへ移行すると、時針１−７は現在時刻の時、分針は現在時刻の分を表示し、秒針１−９は０秒位置に移動して、タイ
マー動作のスタート待機状態になる。
【０１０４】
さらに、第４針５−８はタイマー分を表示するために文字板窓部５−１２（ｂ）のタイマー表示指標５−１の０位置に移動して、タイマー動作の待機状態になる。第５針５−９は現在時刻の２４時間表示をするために文字板窓部５−１２（ｃ）の２４Ｈ表示指標５−６（ａ）の領域に移動し、現在時間に対応して２４Ｈ表示指標５−６（ｂ）の指標を指し示す。そして充電クロノ表示モードからタイマー２４Ｈ表示モードへ移行してから１０秒以上ＰＢ１−５に入力がない場合、秒針１−９は各々に対応した時刻表示を行う。このとき、ＰＢ１−５はタイマー機能のセット、スタート、リセットを制御するためのスイッチとして機能している。
【０１０５】
図５−１（ｂ）の時針１−７、分針１−８、秒針１−９、第４針５−８、第５針５−９の表示内容はＡＭ１０時１０分、タイマー残時間は１５分３５秒を指し示している。
【０１０６】
以上のように実施例５においては、右側の文字板窓部５−１２（ｂ）に第３文字板５−１７（ａ）、第３文字板５−１７（ｂ）の表示指標を表示する場合、左側の文字板窓部５−１２（ｃ）は第１文字板５−１１に記載された表示指標を表示し、逆に右側に位置する文字板窓部５−１２（ｂ）に第１文字板５−１１の表示指標を表示する場合、左側の文字板窓部５−１２（ｃ）は第３文字板５−１７（ａ）、第３文字板５−１７（ｂ）に記載された表示指標を表示するので、表示指標の大幅な変更が出来る。また、文字板窓部５−１２（ｂ）の表示内容に対応して文字板窓部５−１２（ａ）で表示されている情報名を表示し、文字板窓部５−１２（ｃ）の表示内容に対応して文字板窓部５−１２（ｄ）で表示されている情報名を表示するので、各文字板窓部の指標内容が分かりやすくなっている。
【０１０７】
さらに本実施例５では、第３文字板５−１７（ａ）と第３文字板５−１７（ｂ）の互いに組合される形状が、表示される指標に応じて任意に決められるので、デザイン面から見ても面白い表示を構成することができる。
【実施例６】
【０１０８】
次に実施例６について説明する。
【０１０９】
実施例６に係る多機能表示時計は、現在時刻を表示しながらカレンダー表示が可能なカレンダー表示モードと、サマータイムのＯＮ、ＯＦＦ状態と標準時刻を載せた電波信号を受信したときの受信状態とワールドタイムの選択都市が確認できる、都市受信表示モードとの２つのモードを有する。
【０１１０】
図６−１は本発明の実施例６に係る多機能表示時計を示す平面図で、図６−２は実施例６に係る多機能表示時計の第３文字板の位置を示す平面図である。
【０１１１】
図６−１（ａ）は暦の月、日、曜日と現在時刻を示すカレンダー表示モードの図である。図６−１（ｂ）はワールドタイムの選択都市と選択した都市でのサマータイムＯＮ、ＯＦＦ状態と電波受信機能での受信結果を示す都市受信表示モードの図である。図６−２（ａ）はカレンダー表示モードの時の第３文字板６−１７（ａ）、第３文字板６−１７（ｂ）、第３文字板６−１７（ｃ）の配置を分かりやすく見せるために時針１−７、分針１−８、秒針１−９、第２文字板１−１０を省略した図でる。図６−２（ｂ）は都市受信表示モードの時の第３文字板６−１７（ａ）、第３文字板６−１７（ｂ）、第３文字板６−１７（ｃ）の配置を分かりやすく見せるために時針１−７、分針１−８、秒針１−９、第２文字板１−１０を省略した図である。図６−３は実施例６の第１文字板６−１１と第２文字板６−１０と３枚の第３文字板６−１７（ａ）、６−１７（ｂ）、６−１７（ｃ）をそれぞれ別々に示した平面図である。実施例１と同一の働きをするものには同一の符号を設
けて説明は省略する。
【０１１２】
また、時計動作としてはＰＢ１−４を操作する毎に第３文字板６−１７（ａ）、第３文字板６−１７（ｂ）、第３文字板６−１７（ｃ）が回転し、カレンダー表示モードと都市受信表示モードを交互に切り替えることが出来る。
【０１１３】
次に各文字板の構造は図６−３を用いて説明する。
【０１１４】
第２文字板６−１０は図６−３（ｃ）に示すように第２文字板６−１０より下面（第２文字板６−１０より秒歯車１−１５の方向）の第１文字板６−１１、第３文字板６−１７を視認させるための文字板窓部６−１２（ａ）、文字板窓部６−１２（ｂ）、文字板窓部６−１２（ｃ）、文字板窓部６−１２（ｄ）、文字板窓部６−１２（ｅ）、文字板窓部６−１２（ｆ）を有しており、地板１−２７と固定されている。
【０１１５】
図６−３（ａ）に示すように第１文字板６−１１は日表示指標６−３（ａ）、日表示指標６−３（ｂ）、ロゴマーク４−２３、受信表示指標６−５、サマータイム指標６−６、曜日指標６−７、を有しており、地板１−２７に固定されている。
【０１１６】
図６−３（ｂ）に示すように第３文字板６−１７（ａ）は月表示指標６−２（ａ）、都市名表示指標６−１（ａ）有し、３文字板６−１７（ｂ）は月表示指標６−２（ｂ）、都市名表示指標６−１（ｂ）有し、３文字板６−１７（ｃ）は月表示指標６−２（ｃ）、都市名表示指標６−１（ｃ）有しており、制御部１−２１から文字板モータ１−２０、文字板歯車１−１６を介して動かすことが出来る。
【０１１７】
ここで第３文字板の構造を図６−２に基づいてさらに詳しく説明する。実施例６では第３文字板が３つあるが、すべて同じ構成なので、一つだけを説明する。本実施例の第３文字板６−１７（ａ）は、移動するときの回転中心となる中心部６−２０（ａ）を一端に有する第１アーム部６−２１（ａ）と、第１アーム部６−２１（a）の他端に設けた本発明の第２指標部である月表示指標６−２（ａ）と、月表示指標６−２（ａ）からさらに延出した第２アーム部６−２２（ａ）と、第２アーム部６−２２（ａ）の端部に設けた本発明の第３指標部である都市名表示指標６−１（ａ）とから構成されている。
【０１１８】
また、月表示指標６−２（ａ）と都市名表示指標６−１（ａ）は、第１文字板６−１１に設けた同心円状の文字板窓部６−１２（ｄ）と文字板窓部６−１２（ａ）の形状に合わせて、それぞれ湾曲して形成している。
【０１１９】
第３文字板６−１７（ａ）の中心部６−２０（ａ）は、時計の指針の回転中心から脇にずれた位置に配置されており、ここで第１アーム部６−２１（a）を回転させるように配置されている。
【０１２０】
そして、第１アーム部６−２１（ａ）の中心部６−２０（ａ）から月表示指標６−２（ａ）に向かっては右に湾曲して構成している。このようにすることによって、第３文字板６−１７（ａ）を時計の中心側に移動させたときは、隣合う他の第３文字板６−１７（ｂ）、６−１７（ｃ）とは巴の関係となるので、第３文字板６−１７（ａ）を時計の中心の近くまで移動させることが可能となり、第３文字板６−１７（ａ）の移動できる範囲を広くすることが可能である。それにより、同心円状に複数の文字板窓部を配置する領域を確保できた。
【０１２１】
次に図６−３（ｃ）に示すように第２文字板１−１０は外側に配置された文字板窓部６−１２ａ、文字板窓部６−１２（ｂ）、文字板窓部６−１２（ｃ）と文字板窓部６−１２
（ａ）、文字板窓部６−１２（ｂ）、文字板窓部６−１２（ｃ）より時刻表示領域の中心側に配置された文字板窓部６−１２（ｄ）、文字板窓部６−１２（ｅ）、文字板窓部６−１２（ｆ）を有し、地板１−２７と固定されている。
【０１２２】
上記構成からなる実施例６の表示切換動作について説明する。なお、回路ブロックは図１−２と同様である。
【０１２３】
本実施例において、本時計はＰＢ１−４が操作されて信号が制御部１−２１に入力されることにより、制御部１−２１が文字板モータ１−２０に信号を出力する。例えば通常時刻とカレンダーを表示しているカレンダー表示モードから都市受信表示モードへ移行する場合、文字板歯車１−１６を介して第３文字板６−１７（ａ）、第３文字板６−１７（ｂ）、第３文字板６−１７（ｃ）は時計回りに回転する。輪列構造は前述の実施例２、実施例６とほぼ同様の構造であるが、詳しい構造は後述する。都市受信表示モードからカレンダー表示モードへ移行する場合、文字板歯車１−１６を介して第３文字板６−１７（ａ）、第３文字板６−１７（ｂ）、第３文字板６−１７（ｃ）は反時計回りに回転し、文字板窓部６−１２（ａ）、文字板窓部６−１２（ｂ）、文字板窓部６−１２（ｃ）、文字板窓部６−１２（ｄ）、文字板窓部６−１２（ｅ）、文字板窓部６−１２（ｆ）を介して視認される表示指標が各モードに合わせて変更される。
【０１２４】
次に各モードの表示状態について図６−１を用いて説明を行う。
（カレンダー表示について）
カレンダー表示モードにおいては図６−１（ａ）に示す表示状態となる。
【０１２５】
第３文字板６−１７（ａ）、第３文字板６−１７（ｂ）、第３文字板６−１７（ｃ）の位置は図６−１（ａ）のようになる。文字板窓部６−１２（ａ）には第１文字板６−１１の日表示指標６−３（ｂ）が露呈し、同様に文字板窓部６−１２（ｂ）には第１文字板６−１１の曜日指標６−７、文字板窓部６−１２（ｃ）には第１文字板６−１１の日表示指標６−３（ａ）が露呈する。また、文字板窓部６−１２（ｄ）には第３文字板６−１７（ａ）の月表示指標６−２（ａ）露呈し、同様に文字板窓部６−１２（ｅ）には第３文字板６−１７（ｂ）の月表示指標６−２（ｂ）、文字板窓部６−１２（ｆ）には第３文字板６−１７（ｃ）の月表示指標６−２（ｃ）がそれぞれ露呈する。
【０１２６】
また、時針１−７、分針１−８、秒針１−９は都市受信表示モードからカレンダー表示モードへ移行後、時針１−７はカレンダーの月を示す位置に移動する。同様に分針１−８はカレンダーの曜日を示す位置に移動する。また同様に秒針１−９はカレンダーの日にちを示す位置に移動する。そしてカレンダー表示モードへ移行してから１０秒後に時針１−７、分針１−８、秒針１−９は各々に対応した時刻表示を行う位置に移動して時刻表示動作をする。
【０１２７】
図６−１（ａ）は都市受信表示モードからカレンダー表示モードへ移行してからの経過時間が１０秒未満の状態を示しており、時針１−７、分針１−８、秒針１−９は２月７日金曜日を指し示している。
（都市受信表示モード）
都市受信表示モードにおいては図６−１（ｂ）に示す表示状態となる。
【０１２８】
第３文字板６−１７（ａ）、第３文字板６−１７（ｂ）、第３文字板６−１７（ｃ）の位置は図６−１（ｂ）のようになる。文字板窓部６−１２（ａ）には第３文字板６−１７（ａ）の都市名指標６−１（ａ）が露呈し、同様に文字板窓部６−１２（ｂ）には第３文字板６−１７（ｂ）の都市名指標６−１（ｂ）、文字板窓部６−１２（ｃ）には第３文字板６−１７（ｃ）の都市名指標６−１（ｃ）、文字板窓部６−１２（ｄ）には第１文字板
６−１１のロゴマーク４−２３、文字板窓部６−１２（ｅ）には第１文字板６−１１のサマータイム指標６−６、文字板窓部６−１２（ｆ）には第１文字板６−１１の受信表示指標６−５がそれぞれ露呈する。
【０１２９】
また、時針１−７、分針１−８、秒針１−９はカレンダー表示モードから都市受信表示モードへ移行後、時針１−７はサマータイム情報を示す位置に移動する。同様に分針１−８は時計の前回受信した受信結果を示す位置に移動する。秒針１−９はワールドタイムにおける選択都市を示す位置に移動する。
【０１３０】
そしてカレンダー表示モードから都市受信表示モードへ移行してから１０秒後に時針１−７、分針１−８、秒針１−９は各々に対応した時刻表示を行う位置に移動して時刻表示動作をする。
【０１３１】
この場合、時針１−７、分針１−８のそれぞれがサマータイム情報、前回受信した受信結果情報のどちらを指し示しているのかを分かりやすくするために時針１−７、サマータイム指標６−６の色を赤、分針１−８、受信表示指標６−５の色を青に色分けして認識しやすくしても良い。
【０１３２】
図６−１（ｂ）はカレンダー表示モードから都市受信表示モードへ移行してから１０秒未満の状態示しており、時針１−７、分針１−８、秒針１−９はワールドタイムの選択都市が東京であることを示し、受信結果はＯＫであり、選択した都市である東京の時刻はサマータームがＯＦＦ状態であることを指し示している。
【０１３３】
以上のように実施例６においては、可動する第３文字板は時刻表示領域の中心側から外側にかけて移動させることができるので、文字板全体の領域を使って多くの指標を大幅に切替えることが可能である。また時刻表示領域の外側と内側にそれぞれ文字板窓部を設けたので、表示する情報も増やすことが可能である。さらに、単なる回転での指標の切替ではなく、第３文字板の直線的な移動で指標が切替るので、その動作が従来よりも斬新である。
【０１３４】
次に実施例６で行っている文字板歯車１−１６のバックラッシ対策について説明する。図７−１はいずれも第１文字板１−１１と第２文字板１−１０と時針１−７と分針１−８と秒針１−９を省略した状態での多機能時計の平面図であり、図７−１（ａ）は都市受信表示モードでの状態を示し、図７−１（ｂ）はカレンダー表示モードでの状態を示している。なお、第３文字板にあるはずの指標表示部はそれぞれ省略してある。図７−２は図７−１（ａ）の領域７−１を拡大した平面図、図７−３は図７−２の要部断面図である。図７−４は図７−２の要部をさらに拡大した要部平面図である。図７−５と図７−６は、実施例６の文字板歯車の構成を示した変形例を示す要部平面図、図７−７は実施例６の効果を説明するための比較例である文字板歯車の構成を示した平面図である。
【０１３５】
最初に輪列構成を説明する。実施例６の文字板歯車１−１６の構成は、実施例２のそれと基本構成は同じで、５つの伝達歯車７−３〜７−７と、１つのバックラッシ除去用のバックラッシ歯車７−８とで構成された環状輪列となっている。環状輪列を構成する６つの歯車のうちの伝達歯車７−３には、図１−２に示した文字板モータ１−２０からの回転が動力歯車７−２によって伝達され、環状輪列のうちその回転方向が同じになる３つの伝達歯車７−３、７−５、７−７にそれぞれ第３の文字板６−１７（ａ）、６−１７（ｂ）、６−１７（ｃ）を固定している。
【０１３６】
図７−２に示すように、第３文字板６−１７（ａ）、第３文字板６−１７（ｂ）、第３文字板６−１７（ｃ）はその中心部６−２０が伝達歯車７−３、伝達歯車７−５、伝達歯
車７−７と固定されており、伝達歯車７−３、伝達歯車７−５、伝達歯車７−７が回転することによって第３文字板６−１７（ａ）、第３文字板６−１７（ｂ）、第３文字板６−１７（ｃ）は時刻表示領域の中心側と外側の間を回動するように移動し、都市受信表示モード、カレンダー表示モードに対応した表示文字板窓部で行うことが出来る。
【０１３７】
ここで、バックラッシ除去用のバックラッシ歯車７−８の構造とその働きを説明する。バックラッシ除去用のバックラッシ歯車７−８は、伝達歯車７−５と伝達歯車７−７とに噛合う歯車部７−８（ａ）と、星車７−８（ｂ）とを有しており、星車７−８（ｂ）はバックラッシ歯車７−８を所定の停止位置に一定の保持力で停止させるためのバネ部７−９と常時噛合っている。
なお本実施例６は、都市受信表示モードからカレンダー表示モードに切替るときは、バックラッシ歯車７−８が回転して星車７−８（ｂ）の歯が一つ送られることで切替るように設定されている。
【０１３８】
次にバックラッシ歯車７−８の作用を説明する。バックラッシ歯車７−８の歯車部７−８（ａ）には伝達歯車７−５と伝達歯車７−７が噛合っているので、動力歯車７−２の回転は伝達歯車７−３に伝わり、伝達歯車７−３から伝達歯車７−４と伝達歯車７−５を介してバックラッシ歯車７−８の歯車部７−８（ａ）に伝わるとともに、伝達歯車７−３から伝達歯車７−６と伝達歯車７−７を介してバックラッシ歯車７−８の歯車部７−８（ａ）に伝わるようになっている。
【０１３９】
このとき、バックラッシ歯車７−８に固定された星車７−１０は、バネ部７−９のバネ力により、バックラッシ歯車７−８を所定の位置に停止しようとするので、文字板モータ１−２０がバネ部７−９のバネ力に抗して回転する過程で、動力歯車７−２から伝達歯車７−３、伝達歯車７−４、伝達歯車７−５、バックラッシ歯車７−８の歯車部７−８（ａ）の間のバックラッシは詰まって少なくなる。同様に動力歯車７−２から伝達歯車７−３、伝達歯車７−６、伝達歯車７−７、バックラッシ歯車７−８の歯車部７−８（ａ）の間のバックラッシも詰まって少なくなる。
【０１４０】
従って、動力歯車７−２の回転が停止したときには、バックラッシが詰まって少なくなった状態でバックラッシ歯車と伝達歯車の歯形形状によって、第３文字板を停止させることができる。
これにより、３つの第３文字板は、バックラッシをほとんど無視した状態で停止させることができるので、その停止位置を安定させることができる。
【０１４１】
本実施例の環状輪列構成においては、バックラッシに起因する第３文字板の位置ズレを最小限にするものであるが、その最小の位置ズレ量はバネ部７−９によってその停止位置がほぼ一定に定められるバックラッシ歯車７−８を基準にして考えられる。つまりバックラッシ歯車７−８を基準にして他の伝達歯車の停止位置精度を考えると、第３文字板の停止位置精度が最も出ない伝達歯車、すなわち一番歯形形状の影響をうけるのは、バックラッシ歯車７−８から最も遠い位置にある伝達歯車７−３に固定された第３文字板である。そしてその停止位置はバックラッシ歯車７−８、伝達歯車７−７、７−６、７−３又はバックラッシ歯車７−８、伝達歯車７−５、７−４、７−３の２つの伝達経路のうち、歯形精度の悪い方の伝達経路の影響を受けることになり、３つの歯車の歯形形状によって決まる。本実施例は、本実施例の環状輪列構造を採用しないで、単純な一つの伝達経路で構成した輪列に３つの第３文字板を固定するよりもバックラッシの影響を少なくできるものである。次にその理由を説明する。
【０１４２】
ここで実施例６では図７−２のようにバックラッシ歯車７−９から２つの伝達経路で動力歯車７−２の位置規制を行っているが、１つの伝達経路で動力歯車７−２の位置規制を
行った場合を例にして比較検討してみる。図７−７は動力歯車７−２からバックラッシ歯車７−８までを１つの伝達経路で構成した輪列である。この場合、伝達歯車７−４を廃止し、バックラッシ歯車７−９の位置を伝達歯車７−５の位置と入れ替えて伝達歯車７−５の位置を安定させている。
【０１４３】
しかし、この歯車構成における伝達歯車７−３の停止位置精度はバックラッシュ歯車７−８、伝達歯車７−５、伝達歯車７−７、伝達歯車７−６、伝達歯車７−３の４つの歯車の歯形形状が影響するので、３つの第３文字板のうち、特に伝達歯車７−３に固定した第３文字板を文字板窓部に正確に位置させることが難しくなってしまい、指標の間隔が狭い場合は、指針と指標との位置関係を正確に一致させることができないという問題が発生してしまった。
【０１４４】
これに対して、本実施例６のように環状輪列構成にすれば、最も停止位置精度が悪い第３文字板は、３つの歯車の歯形形状の影響を受けるため、停止位置ずれ量を低減させることができる。なお、３つの第３文字板と文字板窓部との位置関係は、時計組み立て時に、バックラッシ歯車７−８とバネ部７−９の位置関係を考慮しながら、それぞれの伝達歯車を適宜組み立てることで位置ズレなく組み込むことが可能である。
【０１４５】
なお本実施例６は、都市受信表示モードからカレンダー表示モードに切替るときは、バックラッシ歯車７−８が回転して星車７−８（ｂ）の歯が一つ送られることで切替るように設定されているので、図７−４に示したように星車７−８（ｂ）の歯をバネ部７−９が越した瞬間は、伝達歯車間にバックラッシが発生する方向に星車７−８（ｂ）を送るようにバネ力が作用するが、その後も動力歯車７−２からの回転が伝達され、動力歯車７−２の回転が停止したときには、バックラッシが詰まって少なくなった状態で第３文字板を停止させることができるように設定すれば良い。
【０１４６】
以上のようにバックラッシに対する対応は実施例６のように２つの伝達経路で動力歯車７−２の位置規制を行うことが効果的である。
【０１４７】
次に、実施例６の変形例を説明する。前述の図７−２に示したバックラッシ除去構造は、環状の輪列に対して常に負荷をかける状態となっているため、第３文字板６−１７（ａ）、第３文字板６−１７（ｂ）、第３文字板６−１７（ｃ）を動作させる動力の消費電力が少々大きくなることがある。
【０１４８】
図７−５、図７−６に示した構造は、図７−２のバックラッシ除去構造をさらに改善したもので、各表示モードへ移行が終了する直前でのみバネ部７−１１でのバックラッシ除去効果が出るようにする事によって、モード移行中のバネ部による輪列への負荷を軽減し、消費電流の軽減を行っている。
【０１４９】
図７−５はカレンダー表示モード中の領域７−１を示した平面図であり、バックラッシ歯車７−１０は切り欠き部７−１４を有し、バネ部７−１１の先端部が切り欠き部７−１４に位置している。
【０１５０】
都市受信表示モードからカレンダー表示モードに移行する直前から図７−５のようにバネ部７−１１は切り欠き部７−１４のバックラッシ壁７−１３に接触し、歯車の回転方向とは逆方向に負荷をかけてバックラッシ除去効果を発揮する。基本的な作用効果は前述と同様なので省略する。
【０１５１】
また、カレンダー表示モードから都市受信表示モード移行するとき、バックラッシ歯車７−１０は時計回りに回転するため、都市受信表示モードに移行する直前まではバネ部７
−１１は切り欠き部７−１４に接触しないため、バックラッシ歯車７−１０に負荷がかからない。
【０１５２】
さらにカレンダー表示モードから都市受信表示モード移行する直前から図７−６のようにバネ部７−１１は切り欠き部７−１４のバックラッシ壁７−１４に接触し、歯車の回転方向とは逆方向に負荷をかけてバックラッシ除去効果を発揮する。
【０１５３】
以上のように図７−５、図７−６のような構成にすることで各表示モードへ移行が終了する直前でのみバネ部７−１１のバネ規制によるバックラッシ除去の効果が出るようになり、モード移行中のバネ部による伝達歯車への負荷を軽減し、消費電流の軽減を行うことができる。 
【符号の説明】
【０１５４】
１−１  ケース
１−２  窓部
１−３  表示領域
１−４、１−５  プッシュボタン
１−６  リューズ
１−７  時針
１−８  分針
１−９  秒針
１−１０  第２文字板
１−１２  文字板窓部
１−１１  第１文字板
１−１７  第３文字板
【図１−１】
2012211865.tif 000003
【図１−２】
2012211865.tif 000004
【図１−３】
2012211865.tif 000005
【図１−４】
2012211865.tif 000006
【図１−５】
2012211865.tif 000007
【図２】
2012211865.tif 000008
【図３】
2012211865.tif 000009
【図４】
2012211865.tif 000010
【図５−１】
2012211865.tif 000011
【図５−２】
2012211865.tif 000012
【図５−３】
2012211865.tif 000013
【図６−１】
2012211865.tif 000014
【図６−２】
2012211865.tif 000015
【図６−３】
2012211865.tif 000016
【図７−１】
2012211865.tif 000017
【図７−２】
2012211865.tif 000018
【図７−３】
2012211865.tif 000019
【図７−４】
2012211865.tif 000020
【図７−５】
2012211865.tif 000021
【図７−６】
2012211865.tif 000022
【図７−７】
2012211865.tif 000023